(57)【要約】ソフト決定実践過程を組込む相互無線アクセス技術（ＲＡＴ）ハンドオーバーに関する方法、装置、プロセッサー及びコンピューター可読媒体を提供する。設定可能関数を実施することにより、ソフト決定実践はハンドオーバー測定値限界が所定の受容範囲に収まり、そして全体のハンドオーバー測定値が相互ＲＡＴハンドオーバーに関して最終決定を行うのに使用が可能になる。このように、今述べた形態はより柔軟なハンドオーバー決定実践及びネットワーク無線資源のより良い利用を提供する。さらに、いくつかの場合では、今述べた形態はハンドオーバー測定値を提供し、それによってネットワーク管理者が選択されたハンドオーバー測定値に多少重点を置き、従ってハンドオーバー過程をより良く管理することを可能にする。  【選択図】      図１２
2009544261.tif 000002
【特許請求の範囲】
【請求項１】
通信デバイスにおいて汎用モバイル電気通信サービス（ＵＭＴＳ）からグローバル・モバイル・システム（ＧＳＭ）への無線アクセス技術ハンドオーバーを始動するための方法であり、
少なくとも一つのＵＭＴＳハンドオーバー測定値及び少なくとも一つのＧＳＭハンドオーバー測定値を取得すること、
第一のＵＭＴＳ着火強度値と第二のＵＭＴＳ着火強度値との間でそれぞれのＵＭＴＳ着火強度値を定義するためにそれぞれの設定可能関数を各ＵＭＴＳハンドオーバー測定値に適用すること、
第一のＧＳＭ着火強度値と第二のＧＳＭ着火強度値との間でそれぞれのＧＳＭ着火強度値を定義するためにそれぞれの設定可能関数を各ＧＳＭハンドオーバー測定値に適用すること、
各ＵＭＴＳ着火強度値及び各ＧＳＭ着火強度値を使用してハンドオーバー値を決定すること、
ハンドオーバー値を設定可能ハンドオーバー閾値と比較すること、及び
ハンドオーバー値が設定可能ハンドオーバー閾値を満たすならばハンドオーバー信号を生成することを含む方法。
【請求項２】
少なくとも一つのＵＭＴＳハンドオーバー測定値及び少なくとも一つのＧＳＭハンドオーバー測定値を取得することはＵＭＴＳ信号強度測定値、ＵＭＴＳ信号エネルギー対干渉比測定値及びＧＳＭ信号強度測定値を取得することをさらに含む、請求項１記載の方法。
【請求項３】
ＵＭＴＳ信号強度測定値、ＵＭＴＳ信号エネルギー対干渉比測定値及びＧＳＭ信号強度測定値を取得することは、ＵＭＴＳ受信信号符号電力（ＲＳＣＰ）測定値、帯域内の電力密度によって除算したチップ当たりのＵＭＴＳ受信エネルギー（Ｅｃ／Ｎｏ）測定値及びＧＳＭ受信信号強度指標（ＲＳＳＩ）を取得することをさらに含む、請求項２記載の方法。
【請求項４】
それぞれの設定可能関数を各ＵＭＴＳハンドオーバー測定値に適用することは、所定の最小ＵＭＴＳ着火強度値と所定の最大ＵＭＴＳ着火強度値との間でそれぞれのＵＭＴＳ着火強度値を定義するために、それぞれの設定可能関数を各ＵＭＴＳハンドオーバー測定値に適用することをさらに含み、そしてそれぞれの設定可能関数を各ＧＳＭハンドオーバー測定値に適用することは、所定の最小ＧＳＭ着火強度値と所定の最大ＧＳＭ着火強度値との間でそれぞれのＧＳＭ着火強度値を定義するために、それぞれの設定可能関数を各ＧＳＭハンドオーバー測定値に適用することをさらに含む、請求項１記載の方法。
【請求項５】
設定可能加重値をそれぞれの各着火強度値に適用することをさらに含み、そして各ＵＭＴＳ着火強度値及び各ＧＳＭ着火強度値を使用してハンドオーバー値を決定することは、各加重ＵＭＴＳ着火強度値及び各加重ＧＳＭ着火強度値を使用してハンドオーバー値を決定することをさらに含む、請求項１記載の方法。
【請求項６】
設定可能な加重値は通信デバイスのセルの位置に基づく、請求項５記載の方法。
【請求項７】
各ＵＭＴＳ着火強度値及び各ＧＳＭ着火強度値を使用してハンドオーバー値を決定することは、各ＵＭＴＳ着火強度値及び各ＧＳＭ着火強度値を合計することによってハンドオーバー値を計算することをさらに含む、請求項１記載の方法。
【請求項８】
各加重ＵＭＴＳ着火強度値及び各加重ＧＳＭ着火強度値を使用してハンドオーバー値を決定することは、各加重ＵＭＴＳ着火強度値及び各加重ＧＳＭ着火強度値を合計することによってハンドオーバー値を計算することをさらに含む、請求項７記載の方法。
【請求項９】
ハンドオーバー値が設定可能ハンドオーバー閾値を満たすならば、ハンドオーバー信号を生成することは、ハンドオーバー値がハンドオーバーを始動すべき時間の間に設定可能ハンドオーバー閾値を満たすならばハンドオーバー信号を生成することをさらに含む、請求項１記載の方法。
【請求項１０】
ハンドオーバー信号を無線ネットワーク制御器に通信することをさらに含む、請求項１記載の方法。
【請求項１１】
その上に記憶された命令を含むコンピューター可読媒体であり、
少なくとも一つのＵＭＴＳハンドオーバー測定値及び少なくとも一つのＧＳＭハンドオーバー測定値を取得するための第一の命令の集合、
第一のＵＭＴＳ着火強度値と第二のＵＭＴＳ着火強度値との間でそれぞれのＵＭＴＳ着火強度値を定義するために、それぞれの設定可能関数を各ＵＭＴＳハンドオーバー測定値に適用するための第二の命令の集合、
第一のＧＳＭ着火強度値と第二のＧＳＭ着火強度値との間でそれぞれのＧＳＭ着火強度値を定義するために、それぞれの設定可能関数を各ＧＳＭハンドオーバー測定値に適用するための第三の命令の集合、
各ＵＭＴＳ着火強度値及び各ＧＳＭ着火強度値を使用してハンドオーバー値を決定するための第四の命令の集合、
ハンドオーバー値を設定可能ハンドオーバー閾値と比較するための第五の命令の集合、及び
ハンドオーバー値が設定可能ハンドオーバー閾値を満たすならばハンドオーバー信号を生成するための第六の命令の集合を含む、コンピューター可読媒体。
【請求項１２】
通信デバイスに実装された少なくとも一つのプロセッサー・デバイスであり、
少なくとも一つのＵＭＴＳハンドオーバー測定値及び少なくとも一つのＧＳＭハンドオーバー測定値を取得し、
第一のＵＭＴＳ着火強度値と第二のＵＭＴＳ着火強度値との間でそれぞれのＵＭＴＳ着火強度値を定義するために、それぞれの設定可能関数を各ＵＭＴＳハンドオーバー測定値に適用し、
第一のＧＳＭ着火強度値と第二のＧＳＭ着火強度値との間でそれぞれのＧＳＭ着火強度値を定義するために、それぞれの設定可能関数を各ＧＳＭハンドオーバー測定値に適用し、
各ＵＭＴＳ着火強度値及び各ＧＳＭ着火強度値を使用してハンドオーバー値を決定し、
ハンドオーバー値を設定可能ハンドオーバー閾値と比較し、そして
ハンドオーバー値が設定可能ハンドオーバー閾値を満たすならばハンドオーバー信号を生成するように構成されたプロセッサー・デバイス。
【請求項１３】
処理エンジン及びメモリー・ユニットを含むコンピューター・プラットホーム、及び
メモリー・ユニットに記憶され、且つ処理エンジンによって実行可能な無線アクセス技術（Radio Access Technology：ＲＡＴ）ハンドオーバー・モジュールを具備し、ＲＡＴハンドオーバー・モジュールは、
少なくとも一つのＵＭＴＳハンドオーバー測定値及び少なくとも一つのＧＳＭハンドオーバー測定値を取得するように作動する測定論理、
第一のＵＭＴＳ着火強度値と第二のＵＭＴＳ着火強度値との間でそれぞれのＵＭＴＳ着火強度値を定義するために、それぞれの設定可能関数を各ＵＭＴＳハンドオーバー測定値に適用するように作動するＵＭＴＳ着火強度論理、
第一のＧＳＭ着火強度値と第二のＧＳＭ着火強度値との間でそれぞれのＧＳＭ着火強度値を定義するために、それぞれの設定可能関数を各ＧＳＭハンドオーバー測定値に適用するように作動するＧＳＭ着火強度論理、
各ＵＭＴＳ着火強度値及び各ＧＳＭ着火強度値を使用してハンドオーバー値を決定するように作動するハンドオーバー値論理、
ハンドオーバー値を設定可能ハンドオーバー閾値と比較するように作動するハンドオーバー閾値比較論理を具備する、その通信デバイス。
【請求項１４】
少なくとも一つのＵＭＴＳハンドオーバー測定値及び少なくとも一つのＧＳＭハンドオーバー測定値を取得するように作動する測定値モジュールは、ＵＭＴＳ信号強度測定値、ＵＭＴＳ信号エネルギー対干渉比測定値及びＧＳＭ信号強度測定値を取得するように作動する測定値モジュールをさらに含む、請求項１３記載のデバイス。
【請求項１５】
ＵＭＴＳ信号強度測定値、ＵＭＴＳ信号エネルギー対干渉比測定値及びＧＳＭ信号強度測定値を取得するように作動する測定モジュールは、ＵＭＴＳ受信信号符号電力（ＲＳＣＰ）測定値、帯域内の電力密度によって除算したチップ当たりのＵＭＴＳ受信エネルギー（Ｅｃ／Ｎｏ）測定値及びＧＳＭ受信信号強度指標（ＲＳＳＩ）を取得するように作動する測定モジュールをさらに含む、請求項１３記載のデバイス。
【請求項１６】
第一のＵＭＴＳ着火強度値は所定の最小ＵＭＴＳ着火強度値をさらに含み、第二のＵＭＴＳ着火強度値は所定の最大ＵＭＴＳ着火強度値をさらに含み、第一のＧＳＭ着火強度値は所定の最小ＧＭＳ着火強度値をさらに含み、そして第二のＧＳＭ着火強度値は所定の最大ＧＭＳ着火強度値をさらに含む、請求項１３記載のデバイス。
【請求項１７】
ＲＡＴハンドオーバー・モジュールは設定可能加重値をそれぞれの各着火強度値に適用するように作動する加重論理をさらに含む、請求項１３記載のデバイス。
【請求項１８】
各ＵＭＴＳ着火強度値及び各ＧＳＭ着火強度値を使用してハンドオーバー値を決定するように作動するハンドオーバー値論理は、各加重ＵＭＴＳ着火強度値及び各加重ＧＳＭ着火強度値を使用してハンドオーバー値を決定するように作動するハンドオーバー値論理をさらに含む、請求項１７記載のデバイス。
【請求項１９】
各ＵＭＴＳ着火強度値及び各ＧＳＭ着火強度値を使用してハンドオーバー値を決定するように作動するハンドオーバー値論理は、各ＵＭＴＳ着火強度値及び各ＧＳＭ着火強度値を合計することによってハンドオーバー値を計算するように作動するハンドオーバー値論理をさらに含む、請求項１３記載のデバイス。
【請求項２０】
各ＵＭＴＳ着火強度値及び各ＧＳＭ着火強度値を使用してハンドオーバー値を決定するように作動するハンドオーバー値論理は、各加重ＵＭＴＳ着火強度値及び各加重ＧＳＭ着火強度値を合計することによってハンドオーバー値を計算するように作動するハンドオーバー値論理をさらに含む、請求項１７記載のデバイス。
【請求項２１】
ＲＡＴハンドオーバー・モジュールは、ハンドオーバー値が設定可能ハンドオーバー閾値を満たすならばハンドオーバー信号を生成するように作動するハンドオーバー信号発生器論理をさらに含む、請求項１３記載のデバイス。
【請求項２２】
ハンドオーバー値が設定可能ハンドオーバー閾値を満たす場合、ハンドオーバー信号を生成するように作動するハンドオーバー信号発生器論理は、ハンドオーバー値がハンドオーバーを始動すべき時間の間に設定可能ハンドオーバー閾値を満たすならば、ハンドオーバー信号を生成するように作動するハンドオーバー信号発生器論理をさらに含む、請求項２１記載のデバイス。
【請求項２３】
ハンドオーバー信号を無線ネットワーク制御器に通信するための働きをする通信モジュールをさらに含む、請求項２１記載のデバイス。
【請求項２４】
少なくとも一つのＵＭＴＳハンドオーバー測定値及び少なくとも一つのＧＳＭハンドオーバー測定値を取得するための手段、
第一のＵＭＴＳ着火強度値と第二のＵＭＴＳ着火強度値との間でそれぞれのＵＭＴＳ着火強度値を定義するために、それぞれの設定可能関数を各ＵＭＴＳハンドオーバー測定値に適用するための手段、
第一のＧＳＭ着火強度値と第二のＧＳＭ着火強度値との間でそれぞれのＧＳＭ着火強度値を定義するために、それぞれの設定可能関数を各ＧＳＭハンドオーバー測定値に適用するための手段、
各ＵＭＴＳ着火強度値及び各ＧＳＭ着火強度値を使用してハンドオーバー値を決定するための手段、
ハンドオーバー値を設定可能ハンドオーバー閾値と比較するための手段、及び
ハンドオーバー値が設定可能ハンドオーバー閾値を満たすならばハンドオーバー信号を生成するための手段を具備する通信デバイス。
【請求項２５】
ネットワーク・デバイスにおいて汎用モバイル電気通信サービス（ＧＳＭ）からグローバル・モバイル・システム（ＧＳＭ）への無線アクセス技術ハンドオーバーを設定するための方法であり、
一以上のＵＭＴＳハンドオーバー測定値の各々及び一以上のＧＳＭハンドオーバー測定値の各々について一組の関数閾値を提供すること、
選択された関数閾値を含む測定制御メッセージ（ＭＣＭ）を生成すること、及び
通信デバイスにＭＣＭを通信することであって、選択された関数閾値の集合は各ＵＭＴＳハンドオーバー測定値及び各ＧＳＭハンドオーバー測定値についてそれぞれの設定可能関数への適用のために作動することをを含む方法。
【請求項２６】
一以上のＵＭＴＳハンドオーバー測定値の各々及び一以上のＧＳＭハンドオーバー測定値の各々について加重値を提供することをさらに含む、請求項２５記載の方法。
【請求項２７】
選択された関数閾値を含むメッセージ（ＭＣＭ）を生成することは選択された関数閾値及び選択された加重値をさらに含む、請求項２６記載の方法。
【請求項２８】
ＭＣＭを通信デバイスに通信し、選択された関数閾値の集合は各ＵＭＴＳハンドオーバー測定値及び各ＧＳＭハンドオーバー測定値についてそれぞれの設定可能関数に適用され、さらにＭＣＭを通信デバイスに通信し、各選択された加重値がＵＭＴＳハンドオーバー測定値及びＧＳＭハンドオーバー測定値の各々にそれぞれ設定可能関数を適用することに由来するそれぞれのＵＭＴＳ及びＧＳＭ着火強度値に適用される、請求項２６記載の方法。
【請求項２９】
ＭＣＭは通信デバイスにおいて圧縮モードを起動する命令をさらに含む、請求項２６記載の方法。
【請求項３０】
圧縮モードは通信デバイスがＧＳＭハンドオーバー測定値を取得するように用意する、請求項２９記載の方法。
【請求項３１】
その上に記憶された命令を含むコンピューター可読媒体であり、
一以上のＵＭＴＳハンドオーバー測定値の各々及び一以上のＧＳＭハンドオーバー測定値の各々について一組の関数閾値を提供するための第一の命令の集合、
選択された関数閾値を含む測定制御メッセージ（ＭＣＭ）を生成するための第二の命令の集合、及び
通信デバイスにＭＣＭを通信するための第三の命令の集合を含み、選択された関数閾値の集合は各ＵＭＴＳハンドオーバー測定値及び各ＧＳＭハンドオーバー測定値についてそれぞれの設定可能関数へ適用されるコンピューター可読媒体。
【請求項３２】
ネットワーク・デバイスに実装された少なくとも一つのプロセッサー・デバイスであり、
一以上のＵＭＴＳハンドオーバー測定値の各々及び一以上のＧＳＭハンドオーバー測定値の各々について一組の関数閾値を提供し、
選択された関数閾値を含む測定制御メッセージ（ＭＣＭ）を生成し、そして
通信デバイスにＭＣＭを通信し、選択された関数閾値の集合は各ＵＭＴＳハンドオーバー測定値及び各ＧＳＭハンドオーバー測定値についてそれぞれの設定可能関数へ適用するように作動する、動作を実行するように構成されたプロセッサー・デバイス。
【請求項３３】
処理エンジン及びメモリー・ユニットを含むコンピューター・プラットホーム、
メモリー・ユニットに記憶され、且つ処理エンジンによって実行可能な無線アクセス技術（ＲＡＴ）ハンドオーバー・モジュールを具備し、ＲＡＴハンドオーバー・モジュールは、
一以上のＵＭＴＳハンドオーバー測定値の各々及び一以上のＧＳＭハンドオーバー測定値の各々について一組の関数閾値を提供するように作動する関数閾値選択器、及び
関数閾値を含む測定制御メッセージ（ＭＣＭ）を生成するように作動する測定制御メッセージ（ＭＣＭ）発生器、及び
通信デバイスにＭＣＭを通信するための働きをする通信モジュールを具備し、選択された関数閾値の集合は各ＵＭＴＳハンドオーバー測定値及び各ＧＳＭハンドオーバー測定値についてそれぞれの設定可能関数へ適用するように作動するネットワーク・デバイス。
【請求項３４】
ＲＡＴハンドオーバー・モジュールは、一以上のＵＭＴＳハンドオーバー測定値の各々及び一以上のＧＳＭハンドオーバー測定値の各々について加重値を提供するように作動する加重値選択器をさらに具備する、請求項３３記載のネットワーク・デバイス。
【請求項３５】
関数閾値を含む測定制御メッセージ（ＭＣＭ）を生成するように作動する測定制御メッセージ（ＭＣＭ）発生器は、加重値を含むＭＣＭを生成するように作動するＭＣＭ発生器をさらに具備する、請求項３４記載のネットワーク・デバイス。
【請求項３６】
ＭＣＭを通信デバイスに通信するように作動する通信モジュールを含み、選択された関数閾値の集合は、各ＵＭＴＳハンドオーバー測定値及び各ＧＳＭハンドオーバー測定値についてそれぞれの設定可能関数に適用され、さらにＭＣＭを通信デバイスに通信するように作動する通信モジュールを具備し、選択された加重値は、それぞれの設定可能関数をＵＭＴＳハンドオーバー測定値及びＧＳＭハンドオーバー測定値の各々に適用することに由来するそれぞれのＵＭＴＳ及びＧＳＭ着火強度値に適用される、請求項３４記載のネットワーク・デバイス。
【請求項３７】
ＭＣＭ発生器はさらにネットワーク・デバイスにおいて圧縮モードを起動する命令を含む測定制御メッセージを生成する働きをする、請求項３３記載のネットワーク・デバイス。
【請求項３８】
一以上のＵＭＴＳハンドオーバー測定値の各々及び一以上のＧＳＭハンドオーバー測定値の各々について一組の関数閾値の選択を行うための手段、
選択された関数閾値を含む測定制御メッセージ（ＭＣＭ）を生成するための手段、及び
通信デバイスにＭＣＭを通信するための手段を含み、選択された関数閾値の集合は各ＵＭＴＳハンドオーバー測定値及び各ＧＳＭハンドオーバー測定値についてそれぞれの設定可能関数へ適用するように作動するネットワーク・デバイス。
【発明の詳細な説明】
【技術分野】
【０００１】
本発明は一般的にモバイル電気通信システムにおいてネットワーク・ハンドオーバーを実行するための方法、装置、コンピューター可読媒体及びプロセッサーに関係し、特に、汎用モバイル電気通信サービス（Universal Mobile Telecommunications Service：ＵＭＴＳ）システムからグローバル・モバイル通信システム（Global System for Mobile communications：ＧＳＭ）への相互無線アクセス技術ハンドオーバーを実行するための方法、デバイス及びコンピューター・プログラム製品に関係する。
【背景技術】
【０００２】
ＧＳＭ（グローバル・モバイル通信システム）はヨーロッパ及び他の地域で利用されるディジタル携帯電話システムである。ＧＳＭはＴＤＭＡ（時分割多元アクセス（Time Division Multiple Access））の変形であり、それはＣＤＭＡ（符号分割多元アクセス（Code Division Multiple Access））と共に、現在最も使用されている三つの主要なディジタル高周波（無線）電話技術である。ＧＳＭはデータをディジタル化し、且つ圧縮し、そしてそれを他の二つのユーザー・データのストリームと共に、それ自身の時間スロットにおいてチャネルに送り出す。
【０００３】
ＵＭＴＳ（汎用モバイル電気通信サービス）は毎秒最大２メガビットのデータ速度でのテキスト、ディジタル化音声、ビデオ、及びマルチメディアの第三世代（３Ｇ）広帯域パケット伝送である。ＧＳＭ通信規格に基づいて、ＵＭＴＳは様々な地域において現在使用されつつある。一旦、ＵＭＴＳが地理的に十分に利用可能であれば、ユーザーは地上無線及び衛星伝送の組合せによってアクセスできるであろう。しかしながら、ＵＭＴＳが十分に実施されるまでは、ユーザーはＵＭＴＳがまだ利用可能ではない現在利用可能な技術（例えば、ＧＳＭ  ９００及び１８００）に切換えるマルチモード・デバイスを利用する。
【０００４】
おそらく多年にわたって、第二世代セルラー・システム（即ち、ＧＳＭ／ＧＰＲＳ）から第三世代モバイル電話通信システム（即ち、ＵＭＴＳ）への技術推移が少しづつ行われるので問題が発生する。従って、当分の間、多くのネットワーク技術者はＧＳＭ／ＧＰＲＳとＵＭＴＳの両方において働くモバイル端末をユーザーに提供する必要性を感じる。従って、ＧＳＭ／ＧＰＲＳと同様にＵＭＴＳに対応する二重モード・ユーザー装置または二重モード・モバイル端末が開発された。さらに、多くのモバイル端末ユーザーは一つの地域から別の地域に移動し、そこでは異なる無線アクセス技術が適用されるので、多モードのモバイル端末が必要である。このように、ＵＭＴＳはまだ完全に開発されないとしても、モバイル加入者は必要ならいつでもＵＭＴＳとＧＳＭ／ＧＰＲＳの両方に対応する二重モード・モバイル端末を使用することによる多重サービスを提供される。従って、ＵＭＴＳユーザーに提供された通信区域がない地域に移動したとき、既存のネットワーク、例えば、ＧＳＭ９００またはＧＳＭ１８００上で呼出しが設定される。
【０００５】
その上、二重モード・モバイル端末は呼出しの間にユーザーをＵＭＴＳとＧＳＭの間で切換えるようにする。ＵＭＴＳサービスが地域で利用可能でなければ、もしくはサービスが不十分になるほどその信号が劣化していれば、そのような切換えが要求される。呼出しモードの間におけるネットワーク・サービスのそのような切換えは相互無線アクセス技術ハンドオーバーと呼ばれ、即ち、既存のＧＳＭ／ＧＰＲＳまたはＵＭＴＳ接続を維持しながら新しいＲＡＴネットワークにチャネルを切換える。
【０００６】
これまで、モバイル端末がＵＭＴＳサービスからＧＳＭへの呼出しにおいてハンドオーバーするかどうかを決定するために使用する決定過程は「ハード」限界または「ハード」閾値を満たす一以上の監視無線測定値に基づいていた。監視無線測定値はハンドオーバーを始動するか、あるいはハンドオーバーを始動しないかであるので、用語「ハード」限界または閾値が利用される。例えば、呼出しの間に、モバイル端末はハンドオーバーに利用可能なＧＳＭサービスの状態と同様に既存のＵＭＴＳサービスの状態を監視する。特に、ＵＭＴＳサービスについて、モバイル端末は受信信号符号電力（Received Signal Code Power：ＲＳＣＰ）の形式で信号電力、そして／または信号対干渉比（Ｅｃ／Ｎｏ）の形式で干渉といった無線測定を監視する。ＧＳＭサービスについて、モバイル端末は受信信号強度指標（Received Signal Strength Indication：ＲＳＳＩ）の形式で信号強度を監視する。
【０００７】
一般に、一つの閾値が各監視無線測定値について設定され、そしてＧＳＭサービスへの呼出しをハンドオーバーするかどうかの決定は一つまたはいくつかの閾値の組合せが満たされるかどうかに基づく。例えば、現在のハンドオーバー始動決定実施において、ＵＭＴＳ測定値の一つまたはある組合せ（実施に依存する）がそれらのそれぞれの閾値以下になるならば（それはＵＭＴＳサービスが所定の限界以下に劣化したことを示す）、そしてＧＳＭ測定がそれぞれの閾値以上であれば（それはＧＳＭサービスが受入れ可能な信号強度レベルに現在あることを示す）、ハンドオーバーの始動が発生する。しかしながら、 一つまたは両方のＵＭＴＳ測定値がそれらのそれぞれの閾値以上であるならば、もしくはＧＳＭ測定値がそれぞれの閾値以下であるならば、モバイル端末は現在のサービスの状態が十分であり、そしてハンドオーバーが始動されないことを決定する。
【０００８】
この所謂ハード決定実践（decision-making）は決定過程において限られた柔軟性を提供するだけである。例えば、ＵＭＴＳ測定値は閾値以下にほぼ低下し、一方、ＧＳＭ測定は閾値をかなり上回り、それは強いＧＳＭ信号強度を示すであろう。しかしながら、この例では、現在の決定手法の下で、モバイル端末はＵＭＴＳサービスに留まるであろう、なぜならＵＭＴＳサービス品質がハード閾値限界以下にならなかったからである。同様に、例えば、ＵＭＴＳ測定値はそれらのそれぞれの閾値以下にかなり低下し、貧弱なサービス品質を示すが、一方、ＧＳＭ測定値は僅かに閾値を下回る。この例では、現在の決定実践手法の下で、モバイル端末はＵＭＴＳサービスに留まるであろう、なぜならＧＳＭサービスがそれぞれの限界を僅かに下回っているからである。ＧＳＭサービスは許容のレベルを満たすのに僅か不足するのでＵＭＴＳサービスが許容しがたいレベルに劣化していたとしてもハンドオーバーが発生しないということ、或いはＧＳＭサービスがハンドオーバーを実行するために必要な品質のレベルより著しく上にあるとしてもＵＭＴＳサービスが必要な品質レベルより僅か上にあり、且つハンドオーバーが発生しないということにおいて、これらのハード決定手法の柔軟性のないことは明白である。この形式の「許可／不許可」（"go/"no go"）決定実践は最適化を保証するのにネットワーク資源の利用を適切に扱わない。
【０００９】
従って、一以上のソフト決定に頼る、そうでなければファジー論理と呼ばれるハンドオーバー決定実践過程を開発する必要がある。ソフト決定は全てのハンドオーバー測定がハンドオーバー決定を行う際相互に比較して考察されることを可能にするであろう。ソフト決定実践過程は決定過程のネットワーク管理に関してより柔軟であり、そしてネットワーク資源の使用のより良い最適化を提供するハンドオーバー始動手法をもたらす。
【発明の概要】
【００１０】
このように、本形態は汎用モバイル電気通信サービスシステム（ＵＭＴＳ）ネットワークからグローバル・モバイル通信システム（ＧＳＭ）ネットワークへの相互無線アクセス技術ハンドオーバー始動のための方法、デバイス、システム及びコンピューター・プログラム製品を定義する。ソフト決定に基づくハンドオーバー実施は「ハード」閾値に対照して、「ソフト」閾値を持つハンドオーバー始動決定過程において使用される測定値を提供する。「ソフト」閾値は各測定値が設定可能関数によって定義された設定可能な範囲内に収まり、そして複合測定値がハンドオーバーの始動を決定するための基準となることを可能にする。その上、加重（weighting）手法が無線測定値の加重を行うために適用される。測定値の加重はネットワーク管理者が始動決定過程において或る測定値により多くの重点を置くことを可能にする。或る測定値を加重することによって、ネットワーク管理者はネットワーク要素に基づいてＵＭＴＳからＧＳＭへのハンドオーバーを急がせるか、または遅らせるかを選択する。「ソフト」決定に基づくハンドオーバー始動決定実践を提供することによって、より柔軟な決定実践がもたらされ、そしてネットワーク資源のより良い全体利用が実現される。
【００１１】
一つの形態では、通信デバイスにおいて汎用モバイル電気通信サービス（ＵＭＴＳ）からモバイル無線アクセスグローバル・システム（ＧＳＭ）へのハンドオーバーを始動するための方法が定義される。その方法は少なくとも一つのＵＭＴＳハンドオーバー測定値及び少なくとも一つのＧＳＭハンドオーバー測定値を取得することを含む。この点に関して、取得することはネットワーク・デバイスから測定値を受取ること、もしくは通信デバイスにおいて測定値を決定することを含む。ＵＭＴＳハンドオーバー測定値は受信信号符号電力（ＲＳＣＰ）といった信号強度、及び帯域中の電力（Ｎｏ）で除算したチップ当たりのエネルギー（Ｅｃ）といった信号対干渉比を含む。ＧＳＭハンドオーバー測定値は受信信号強度指標（ＲＳＳＩ）といった信号強度を含む。一旦、ハンドオーバー測定値が取得されると、それぞれの設定可能関数はそれぞれのＵＭＴＳ及びＧＳＭ着火強度値を定義するために各ＵＭＴＳ及びＧＳＭハンドオーバー測定値に適用される。それぞれの各設定可能関数は最小ＵＭＴＳ及びＧＳＭ着火強度値及び最大ＵＭＴＳ及びＧＳＭ着火強度値といった、第一のＵＭＴＳ及びＧＳＭ着火強度値と第二のＵＭＴＳ及びＧＳＭ着火強度値との間のそれぞれのＵＭＴＳ及びＧＳＭ着火強度値を生成する働きをする。従って、ＵＭＴＳ及びＧＳＭ着火強度値はソフト決定実践を行う。一旦、ＵＭＴＳ及びＧＳＭ着火強度値が決定されていると、ハンドオーバー値は各ＵＭＴＳ着火強度値及びＧＳＭ着火強度値を使用して決定され、そしてハンドオーバー値は設定可能ハンドオーバー閾値と比較される。ハンドオーバー値が設定可能ハンドオーバー値を満たすように決定されるならば、ハンドオーバー信号が生成される。生成されたハンドオーバー信号は無線ネットワーク制御器（Radio Network Controller：ＲＮＣ）といったネットワーク・デバイスに通信される。
【００１２】
ハンドオーバーを始動する方法のさらなる形態は、ハンドオーバー値の決定が各加重ＵＭＴＳ着火強度値及び各加重ＧＳＭ着火強度値を使用するように、それぞれの各ＵＭＴＳ及びＧＳＭ着火強度値に割当てられた設定可能加重値の適用を含む。その方法が加重値の適用を行わないないならば、着火強度の加重はそれぞれの設定可能関数において説明される。着火強度値はネットワーク管理者がハンドオーバー測定値に優先順位をつけ、そしてハンドオーバー過程に対するより良い制御を行うことを可能にする。
【００１３】
代わりの方法は少なくとも一つのＵＭＴＳハンドオーバー測定値及び少なくとも一つのＧＳＭ測定値を取得するための第一の命令（instructions）の集合からなる、そこに記憶された命令を含むコンピューター可読媒体によって定義される。コンピューター可読媒体は、各測定値についてＵＭＴＳ及びＧＳＭ着火強度値を定義するために、それぞれの設定可能関数を各ＵＭＴＳハンドオーバー測定値に適用するための第二の命令の集合、及びそれぞれの設定可能関数をＧＳＭハンドオーバー測定値に適用するための第三の命令の集合をさらに含む。それぞれの各設定可能関数は最小ＵＭＴＳ及びＧＳＭ着火強度値及び最大ＵＭＴＳ及びＧＳＭ着火強度値といった、第一のＵＭＴＳ及びＧＳＭ着火強度値と第二のＵＭＴＳ及びＧＳＭ着火強度値との間でそれぞれのＵＭＴＳ及びＧＳＭ着火強度値を生成する働きをする。コンピューター可読媒体はそれぞれの各ＵＭＴＳ及びＧＳＭ着火強度値を使用してハンドオーバー値を決定するための第四の命令の集合をさらに含む。コンピューター可読媒体はまたハンドオーバー値を設定可能ハンドオーバー閾値と比較するための第五の命令の集合を含む。その上、コンピューター可読媒体はハンドオーバー値がハンドオーバー閾値を満たすならば、ハンドオーバー信号を生成するための第六の命令の集合を含む。いくつかの形態では、ハンドオーバー信号は続いてハンドオーバー過程を完了するのに関与するネットワーク実体に通信される。
【００１４】
なお別の代わりの形態は通信デバイスにおいて実施され、そして特定の動作を実行するように構成された少なくとも一つのプロセッサー・デバイスによって定義される。その動作は少なくとも一つのＵＭＴＳ測定値及び少なくとも一つのＧＳＭ測定値を取得すること、及び各測定値についてＵＭＴＳ及びＧＳＭ着火強度値を定義するために各ＵＭＴＳ及びＧＳＭハンドオーバー測定値にそれぞれの設定可能関数を適用することを含む。それぞれの各設定可能関数は最小ＵＭＴＳ及びＧＳＭ着火強度値及び最大ＵＭＴＳ及びＧＳＭ着火強度値といった、第一のＵＭＴＳ及びＧＳＭ着火強度値と第二のＵＭＴＳ及びＧＳＭ着火強度値との間でそれぞれのＵＭＴＳ及びＧＳＭ着火強度値を生成する働きをする。それぞれの各ＵＭＴＳ及びＧＳＭ着火強度値はハンドオーバー値を決定するために使用され、そしてハンドオーバー値は設定可能ハンドオーバー閾値と比較される。ハンドオーバー値がハンドオーバー閾値を満たすならば、ハンドオーバー信号が生成され、そして続いてハンドオーバー過程を完了するのに関与するネットワーク実体に通信される。
【００１５】
さらなる形態は通信デバイスによって定義される。通信デバイスは処理エンジン及びメモリー・ユニットを含むコンピューター・プラットホームを含む。そのデバイスはさらにメモリー・ユニットに記憶され、且つ処理エンジンによって実行可能な無線アクセス技術（ＲＡＴ）ハンドオーバー・モジュールを含む。ＲＡＴハンドオーバー・モジュールは少なくとも一つのＵＭＴＳハンドオーバー測定値及び少なくとも一つのＧＳＭハンドオーバー測定値を取得する働きをする。その上、ＲＡＴハンドオーバー・モジュールはまたそれぞれのＵＭＴＳ着火強度値及びＧＳＭ着火強度値を定義するためにそれぞれの設定可能関数を各ＵＭＴＳ及びＧＳＭハンドオーバー測定値に適用する働きをするＵＭＴＳ及びＧＳＭ着火強度論理を含む。それぞれの各設定可能関数は最小ＵＭＴＳ及びＧＳＭ着火強度値及び最大ＵＭＴＳ及びＧＳＭ着火強度値といった、第一のＵＭＴＳ及びＧＳＭ着火強度値と第二のＵＭＴＳ及びＧＳＭ着火強度値との間でそれぞれのＵＭＴＳ及びＧＳＭ着火強度値を生成する働きをする。ＲＡＴハンドオーバー・モジュールはまた各ＵＭＴＳ着火強度値及び各ＧＳＭ着火強度値を使用してハンドオーバー値を決定する働きをするハンドオーバー値論理を含む。そのモジュールはハンドオーバー値を設定可能ハンドオーバー閾値と比較する働きをするハンドオーバー閾値比較論理を含む。
【００１６】
ＲＡＴハンドオーバー・モジュールは設定可能加重値をそれぞれの各着火強度値に適用する働きをする加重論理を含み、そして加重論理が実施されれば、ハンドオーバー値論理はハンドオーバー値を決定するために各加重ＵＭＴＳ着火強度値及び各加重ＧＳＭ着火強度値を使用する。同じく、ＲＡＴハンドオーバー・モジュールはハンドオーバー値が設定可能ハンドオーバー閾値を満たすならば、ハンドオーバー信号を生成する働きをするハンドオーバー信号発生器を随意に含む。
【００１７】
なお別の形態は少なくとも一つのＵＭＴＳハンドオーバー測定値及び少なくとも一つのＧＳＭハンドオーバー測定値を取得するための手段、及び各ＵＭＴＳ及びＧＳＭ測定値についてそれぞれのＵＭＴＳ及びＧＳＭ着火強度値を定義するためにそれぞれの設定可能関数を各ＵＭＴＳ及びＧＳＭハンドオーバー測定値に適用するための手段を含む通信デバイスによって提供される。ＵＭＴＳ及びＧＳＭ着火強度値は第一のＵＭＴＳ着火強度値と第二のＵＭＴＳ着火強度値との間にある。そのデバイスはまた各ＵＭＴＳ着火強度値及び各ＧＳＭ着火強度値を使用してハンドオーバー値を決定するための手段、ハンドオーバー値を設定可能ハンドオーバー閾値と比較するための手段；及びハンドオーバー値が設定可能ハンドオーバー閾値を満たすならば、ハンドオーバー信号を生成するための手段を含む。
【００１８】
さらなる形態はネットワーク・デバイスにおいて汎用モバイル電気通信サービス（ＵＭＴＳ）システムからグローバル・モバイル・システム（ＧＳＭ）への無線アクセス技術ハンドオーバーを構成するための方法によって定義される。その方法は一以上のＵＭＴＳハンドオーバー測定値の各々及び一以上のＧＳＭハンドオーバー測定値の各々の一組の関数閾値を提供すること、選択された関数閾値を含む測定制御メッセージ（ＭＣＭ）を生成すること、及びＭＣＭを通信デバイスに通信することを含む。選択された関数閾値の集合は各ＵＭＴＳハンドオーバー測定値及び各ＧＳＭハンドオーバー測定値について設定可能関数へ適用のための働きをする。その上、その方法は一以上のＵＭＴＳハンドオーバー測定値の各々及び一以上のＧＳＭハンドオーバー測定値の各々に関する加重値を提供すること、及びＭＣＭ中の加重値の包含を随意に含む。加重値はそれぞれの設定可能関数をＵＭＴＳハンドオーバー測定値及びＧＳＭハンドオーバー測定値の各々に適用することによって生じるそれぞれのＵＭＴＳ及びＧＳＭ着火強度値に適用される。
【００１９】
関連の形態は一以上のＵＭＴＳハンドオーバー測定値の各々及びＧＳＭハンドオーバー測定値の各々について一組の関数閾値を提供するための第一の命令の集合を含み、その上に記憶された命令を含むコンピューター可読媒体によって定義される。コンピューター可読媒体はさらに選択された関数閾値を含む測定制御メッセージ（ＭＣＭ）を生成するための第二の命令の集合を含む。その上、コンピューター可読媒体はＭＣＭを通信デバイスに通信するための第三の命令の集合を含み、そこでは選択された関数閾値の集合は各ＵＭＴＳハンドオーバー測定値及び各ＧＳＭハンドオーバー測定値について各設定可能関数へ適用のための働きをする。
【００２０】
さらなる関連の形態は少なくとも一つのプロセッサー・デバイスによって定義され、ネットワーク・デバイスにおいて実施される。一つのプロセッサー・デバイスは一以上のＵＭＴＳハンドオーバー測定値の各々及びＧＳＭハンドオーバー測定値の各々について一組の関数閾値を提供する動作を実行するように構成され、選択された関数閾値を含む測定制御メッセージ（ＭＣＭ）を生成し、そしてＭＣＭを通信デバイスに通信する。選択された関数閾値の集合は各ＵＭＴＳハンドオーバー測定値及び各ＧＳＭハンドオーバー測定値についてそれぞれの設定可能関数へ適用のための働きをする。
【００２１】
なお別の形態では、処理エンジン及びメモリー・ユニットを含むコンピューター・プラットホームを含むネットワーク・デバイスが定義される。ネットワーク・デバイスはさらにメモリー・ユニットに記憶され、且つ処理エンジンによって実行可能な無線アクセス技術（ＲＡＴ）ハンドオーバー・モジュールを含む。ＲＡＴハンドオーバー・モジュールは一以上のＵＭＴＳハンドオーバー測定値の各々及びＧＳＭハンドオーバー測定値の各々について一組の関数閾値を提供するための働きをする関数閾値選択器、及び関数閾値を含む測定制御メッセージ（ＭＣＭ）を生成するための働きをする測定制御メッセージ（ＭＣＭ）発生器を含む。ネットワーク・デバイスはさらにＭＣＭを通信デバイスに通信するための働きをする通信モジュールを含む。ＲＡＴハンドオーバー・モジュールは一以上のＵＭＴＳハンドオーバー測定値の各々及びＧＳＭハンドオーバー測定値の各々について加重値を提供するための動作をする加重値選択器を含み、そしてそのような形態で、ＭＣＭ発生器はさらにメッセージ中に加重値を含めるための動作をする。
【００２２】
なお別の形態は一以上のＵＭＴＳハンドオーバー測定値の各々及びＧＳＭハンドオーバー測定値の各々について一組の関数閾値を提供するための手段、選択された関数閾値を含む測定制御メッセージ（ＭＣＭ）を生成するための手段及びＭＣＭを通信デバイスに通信するための手段を含むネットワーク・デバイスによって提供される。選択された関数閾値の集合は各ＵＭＴＳハンドオーバー測定値及び各ＧＳＭハンドオーバー測定値についてそれぞれの設定可能関数に適用される。
【００２３】
そのように、本形態はソフト決定実践過程を組込んだ相互ＲＡＴハンドオーバーのための方法及びデバイスを提供する。設定可能関数を実施することによって、ソフト決定実践はハンドオーバー測定値限界が所定の許容域の中の入るように、そしてハンドオーバー測定値の全体がハンドオーバーに関して最終決定に使用されることを可能にする。このように、今述べた形態はより柔軟なハンドオーバー決定実践及びネットワーク無線資源のより良い利用を提供する。ハンドオーバー測定値の加重を提供することによって、ネットワーク管理者は選択されたハンドオーバー測定値に多少の重点を置き、そして従って、ハンドオーバー過程をより良く管理する能力を提供される。
【図面の簡単な説明】
【００２４】
【図１】一つの形態により、通信デバイス上でソフト決定に基づく相互ＲＡＴハンドオーバーを提供するためのシステムの概要図である。
【図２】一つの形態により、通信デバイス上でソフト決定に基づく相互ＲＡＴハンドオーバー・モジュールのブロック図をである。
【図３】一つの形態により、ネットワーク・デバイスにおいてソフト決定に基づく相互ＲＡＴハンドオーバーを設定するための相互ＲＡＴハンドオーバー設定モジュールのブロック図をである。
【図４】一つの形態により、ソフト決定に基づく相互ＲＡＴハンドオーバー始動を提供する働きをする無線通信デバイスのブロック図をである。
【図５】一つの形態による、追加詳細を含む図２の相互ＲＡＴハンドオーバー・モジュールの詳細なブロック図である。
【図６】一つの形態により、ソフト決定に基づく相互ＲＡＴハンドオーバーを設定する働きをするネットワーク・デバイスのブロック図である。
【図７】一つの形態による、図３の相互ＲＡＴハンドオーバーを設定モジュールの詳細なブロック図である。
【図８】一つの形態による、ソフト決定に基づく相互ＲＡＴハンドオーバーのための方法を表すブロック図である。
【図９】一つの形態により、ネットワーク・デバイスにおいてソフト決定に基づくハンドオーバー測定値を設定する方法のフローチャートである。
【図１０】一つの形態による、汎用モバイル電気通信システム（ＵＭＴＳ）及びグローバル・モバイル通信システム（ＧＳＭ）を含む通信ネットワークの概要図である。
【図１１】なお別の形態による、通信デバイスにおけるソフト決定に基づく相互ＲＡＴハンドオーバーのための方法のフローチャートである。
【図１２】ソフト決定に基づく相互ＲＡＴハンドオーバーを設定するための方法のフローチャートである。
【発明を実施するための形態】
【００２５】
本デバイス、装置、方法、コンピューター可読媒体及びプロセッサーはこれ以降発明の形態が示される付随の図面を参照してさらに十分に説明される。しかしながら、デバイス、装置、方法、コンピューター可読媒体及びプロセッサーは多くの異なる形で具現化され、そしてここに示された形態に限定されたように解釈されるべきでない；むしろ、これらの形態はこの開示が完璧、且つ完全になるために提供され、そして当業者に発明の範囲を十分に伝えるであろう。全体を通して同じ数字は同じ要素を参照する。
【００２６】
一つの形態に従って、図１は通信デバイスにおいてソフト決定に基づく相互無線アクセス技術（ＲＡＴ）ハンドオーバー始動を提供するためのシステムの概要図表現を提供する。システム１０は汎用モバイル電気通信システム（ＵＭＴＳ）１６のアクセス部分に位置する無線ネットワーク制御器（ＲＮＣ）のような通信デバイス１２及びネットワーク・デバイス１４を含む。この場合には、ＵＭＴＳ １６は通信呼出しが初めに接続される発信（originating）システムである。さらに、ＵＭＴＳ １６はグローバル・モバイル通信システム（ＧＳＭ）１８と通信中であり、それは現在のソフト決定に基づく相互ＲＡＴハンドオーバー形態の結果として、その呼出しが移送される、即ち、ハンドオーバーされるネットワークである。
【００２７】
通信デバイス１２はメモリー・ユニット２２と通信する処理エンジン２０を含む。メモリー・ユニットは処理エンジン２０によって実行可能で、且つハンドオーバー始動が現在のＵＭＴＳシステム１６とハンドオーバーＧＳＭシステム１８との間で発生するかどうかを決定する働きをする相互ＲＡＴハンドオーバー・モジュール２４を含む。
【００２８】
図２を参照すると、相互ＲＡＴハンドオーバー・モジュール２４の形態のブロック図が示される。相互ＲＡＴハンドオーバー・モジュール２４は一以上のＵＭＴＳハンドオーバー測定値及び一以上のＧＳＭネットワーク測定値を取得するための働きをするハンドオーバー測定モジュール２６を含む。一つの形態では、ハンドオーバー測定モジュール２６は受信信号強度符号電力（ＲＳＣＰ）のようなＵＭＴＳ信号電力測定値、帯域内の電力密度で除算したチップ当たりエネルギー（Ｅｃ／Ｎｏ）のようなＵＭＴＳ信号対干渉比測定値、及び受信信号強度指標（ＲＳＳＩ）のようなＧＳＭ信号強度を含む。ハンドオーバー測定値としてＲＳＣＰ、Ｅｃ／Ｎｏ及びＲＳＳＩの使用は相互ＲＡＴ測定と題する標準無線資源プロトコル仕様（standard Radio Resource Protocol Specification）１５．３３１、節１４．３に従うことに注意すべきである。無線資源プロトコル仕様１５．３３１はここに十分に示されるように引用によりここに組込まれている。ハンドオーバー測定モジュール２６はＵＭＴＳ信号強度及びＵＭＴＳ信号対干渉比の内部監視といった通信デバイス内の無線状態を監視することによって測定値を取得し、または測定値はＧＳＭ信号強度測定を含む外部通信のような外部通信によって取得される。
【００２９】
相互ＲＡＴハンドオーバー・モジュール２４はまた所与の測定値についてそれぞれの着火強度を定義するためにそれぞれの設定可能関数３０を各ハンドオーバー測定に適用する働きをする着火強度論理 ２８を含む。各設定可能関数３０はそれぞれの着火強度値を生成する働きをし、それは各測定のための最小及び／または最大閾値を設定するハンドオーバー測定閾値によって定義された第一の着火強度値及び／または第二の着火強度値の間にある。いくつかの形態では、上方及び／または下方閾値がネットワーク管理者等によって動的に設定可能である。例えば、いくつかの形態では、ネットワーク・デバイス１４から通信デバイス１２へ通信される相互ＲＡＴ測定制御メッセージ（ＭＣＭ）３２は一以上のハンドオーバー測定値について、設定可能関数、及び上方及び／または下方閾値を含む。
【００３０】
相互ＲＡＴハンドオーバー・モジュール２４はまた決定された各々の着火強度値を使用してハンドオーバー値３５を決定するための働きをするハンドオーバー値論理３４を含む。ハンドオーバー値論理３４はハンドオーバー値を生成するために一般的に所定の複合関数３７、例えば、各々の着火強度値を合計することのような数学的な計算を実施することによってハンドオーバー値３５を決定する。しかしながら、ハンドオーバー決定に使用するハンドオーバー値を生成するためそれぞれの決定された各着火強度値を適用するために他の方法が利用されることを注目すべきである。
【００３１】
相互ＲＡＴハンドオーバー・モジュール２４はまたハンドオーバー値３５をハンドオーバー閾値３９と比較するためのハンドオーバー閾値比較論理３６を含む。相互ＲＡＴハンドオーバー・モジュール２４はハンドオーバー値３５がハンドオーバー閾値３９を満たすならば、ＵＭＴＳからＧＳＭへのハンドオーバー過程が始動されるように構成される。
【００３２】
再び図１を参照すると、ネットワーク・デバイス１４はメモリー・ユニット４２と通信している処理エンジン４０を含む。メモリー・ユニット４２は処理エンジン４０によって実行可能で、且つ通信デバイス１２において実行可能な相互ＲＡＴハンドオーバー・モジュール２４の動的設定を行う働きをする相互ＲＡＴハンドオーバー設定モジュール４４を含む。
【００３３】
図３を参照すると、相互ＲＡＴハンドオーバー設定モジュール４４の形態のブロック図描写が提供されている。相互ＲＡＴハンドオーバー設定モジュール４４はネットワーク管理者またはＲＮＣ作業者（operator）に各監視ハンドオーバー測定値について設定可能関数（それはそれぞれの測定着火強度を決定するために使用される上方及び／または下方関数閾値４８を含む）を定義する、且つ／または選択する能力を提供する働きをする関数閾値選択器４６を含む。その上、いくつかの形態では、相互ＲＡＴハンドオーバー設定モジュール４４は作業者が所定の複合関数３７、及び／またはハンドオーバー閾値３９を設定することを可能にする働きをする。設定モジュール４４はまた上方及び下方関数閾値４８を含めて、選択された設定可能関数を含むＭＣＭ３２を生成するための働きをする相互ＲＡＴ測定制御メッセージ（ＭＣＭ）発生器５０を含み、そしてそれはさらに所定の結合関数３７、及び／またはハンドオーバー閾値３９を含む。ＭＣＭ ３２は通信デバイス１２に通信され、そして相互ＲＡＴハンドオーバー・モジュール２４内でソフト決定に基づく相互ＲＡＴハンドオーバー過程を動的に設定する働きをする。
【００３４】
図４を参照すると、一つの形態により、ソフト決定に基づく相互ＲＡＴハンドオーバーを提供する働きをする無線通信デバイス１２のブロック図表現が描写されている。例示の実施例は無線デバイスを表すとともに、記述の形態はＵＴＭＳシステム１６及びＧＳＭシステム１８の両方と通信することが可能な、有線または無線、モバイルまたは固定の任意の通信デバイスに関連する。通信デバイス１２はセルラー電話、個人情報端末（ＰＤＡ）、双方向テキスト・ページャー、ポータブル・コンピューター、及び無線通信ポータルを有する個別コンピューター・プラットホームといったあらゆるコンピューター化通信デバイスを含み、そしてそれはまたネットワークまたはインターネットに有線接続を有する。通信デバイスは遠隔スレーブ、またはエンド・ユーザーを持たないがセンサー、診断ツール、データ・リレー等のような無線または有線ネットワークを通して簡単に通信する他のデバイスでもよい。本装置及び方法は従って無線通信ポータルを含め、制限なしに、無線モデム、ＰＣＭＣＩＡカード、アクセス端末、デスクトップ・コンピューターまたは或る組合せまたはその部分組合せを含めて、無線または有線通信デバイスまたは有線／無線コンピューター・モジュール上で実行される。
【００３５】
通信デバイス１２は無線または有線ネットワークを通してデータを伝送することができ、且つルーチン及びアプリケーションを受取って、実行し、そして無線または有線ネットワークに接続されたＲＮＣまたは別のコンピューター・デバイスといったネットワーク・デバイス１４から伝送されたデータを表示することができるコンピューター・プラットホーム６０を含む。コンピューター・プラットホーム６０はメモリー／データ・レジストリー２２を含み、それは読出し専用及び／またはランダム・アクセス・メモリー（ＲＡＭ及びＲＯＭ）、ＥＰＲＯＭ、ＥＥＰＲＯＭ、フラッシュ・カード、またはコンピューター・プラットホームに共通のあらゆるメモリーからなる。さらに、メモリー／データ・レジストリー２２は一つ以上のフラッシュ・メモリー・セルを含み、或いは磁気媒体、光学媒体、テープ、またはソフトまたはハード・ディスクといった第二または第三の記憶デバイスである。
【００３６】
さらに、コンピューター・プラットホーム６０はまた処理エンジン２０を含み、それはアプリケーション特定集積回路（ＡＳＩＣ）、または他のチップセット、プロセッサー、論理回路、または他のデータ処理デバイスである。処理エンジン２０は無線ネットワーク上で通信デバイス１２の機能性及び通信デバイスの操作性を可能にするハードウェア、ファームウェア、ソフトウェア、及びその組合せで具現化された様々な処理サブシステム６４を含む。例えば、処理サブシステム６４は他のネットワーク・デバイスと通信を開始し、且つ維持し、そしてデータを交換することを可能にする。相互ＲＡＴハンドオーバー・モジュール２４がＲＳＣＰのようなＵＭＴＳ信号強度データ、Ｅｃ／ＮｏのようなＵＭＴＳ信号対干渉比データ等といったハンドオーバー測定データを生成し、或いは監視するためにサブシステムに頼る現在の形態では、サブシステムは必要な信号強度及び干渉監視サブシステムを含むが、それに限定されるものではない。通信デバイスがセルラー電話として定義される形態では、通信処理エンジン２０は追加として音声、揮発性メモリー、ファイル・システム、送信、受信、探索、層１、層２、層３、主制御、遠隔処置、送受話器（handset）、電力管理、ディジタル信号プロセッサー、通信（messaging）呼出し管理、Ｂｌｕｅｔｏｏｔｈ（登録商標）システム、Ｂｌｕｅｔｏｏｔｈ ＬＰＯＳ、ポジション・エンジン、ユーザー・インタフェース、休止、データ・サービス、安全性、認証、ＵＳＩＭ／ＳＩＭ、音声サービス、グラフィックス、ＵＳＢ、ＭＰＥＧなどのマルチメディア、ＧＰＲＳ、等々（この全ては明確にするために図２には個々に示さない）といった処理サブシステム６４の一つまたは組合せを含む。開示の形態に関して、処理エンジン２０のサブシステム６４はコンピューター・プラットホーム６０上で実行するアプリケーションと相互に関係する任意のサブシステム構成要素を含む。
【００３７】
コンピューター・プラットホーム６０のデータ・レジストリー２２は現在のＵＭＴＳ呼出しがＧＳＭシステムに移送されるべきかどうかを決定するための働きをする相互ＲＡＴハンドオーバー・モジュール２４を含む。図５に示した詳細なブロック図を参照すると、いくつかの形態において、相互ＲＡＴハンドオーバー・モジュールは一つ以上のＵＭＴＳハンドオーバー測定値７０及び一つ以上のＧＳＭネットワーク測定値７２を取得するための働きをするハンドオーバー測定モジュール２６を含む。一つの形態では、ハンドオーバー測定モジュール２６は受信信号強度符号電力（ＲＳＣＰ）のようなＵＭＴＳ信号信号強度測定値、帯域内の電力密度で除算したチップ当たりのエネルギー（Ｅｃ／Ｎｏ）のようなＵＭＴＳ信号対干渉比測定値、及び受信信号強度指標（ＲＳＳＩ）のようなＧＳＭ信号強度を含むであろう。前に述べたように、ハンドオーバー測定値としてＲＳＣＰ、Ｅｃ／Ｎｏ及びＲＳＳＩの使用は相互ＲＡＴ測定と題する標準無線資源プロトコル仕様２５．３３１、節１４．３に従う。サービス品質に関する指標を提供する他のＵＭＴＳ及びＧＳＭ測定値はまたハンドオーバーを決定する際に使用され、そしてここに開示された発明概念の中にある。
【００３８】
ハンドオーバー測定モジュール２６はハンドオーバー測定の内部監視／測定といった、通信デバイス中で無線状態を監視することによって測定値を取得する。代りに、ハンドオーバー測定値は外部通信の受信によって取得される。一般的に、通信デバイスは通信デバイスにＵＭＴＳシステム１６から同調を外す（tune away）時間を割当て、そしてＲＳＳＩのようなＧＳＭ測定値を測定することを可能にするために圧縮モードに入るように構成されるであろう。
【００３９】
相互ＲＡＴハンドオーバー・モジュールはまたそれぞれの着火強度値を定義するために取得ＵＭＴＳ及びＧＳＭハンドオーバー測定値７０及び７２の各々にそれぞれの設定可能関数３０を適用するための働きをする着火強度論理２８を含む。ハンドオーバー測定値を単一の閾値と比較し、且つハンドオーバー測定値が閾値以下または以上になるかによって「０」または「１」の着火強度を割当てるようにする従来の相互ＲＡＴハンドオーバー手法とは対照的に、現在の形態では、各設定可能関数３０は第一の着火強度値と第二の着火強度値との間でそれぞれの着火強度値を生成するための働きをする。第一及び第二の着火強度値は各測定値について最小及び最大の閾値を設定する関数閾値４８によって定義されるであろう。
【００４０】
例えば、形態を制限しないものでは、ＵＭＴＳハンドオーバー測定値がＲＳＣＰであるならば、低い関数閾値は−１１０ｄＢｍであり、そして上の閾値は−１００ｄＢｍである。ＵＭＴＳ測定値が−１１０ｄＢｍ以下であるならば、定義される着火強度値は「０」であり、そしてＵＭＴＳ測定値が−１００ｄＢｍ以上であるならば、定義される着火強度値は「１」である。しかしながら、現在の形態によると、ＵＭＴＳ測定値が−１１０ｄＢｍと−１００ｄＢｍとの間にあるならば、設定可能関数３０が適用され、そして結果として「０」と「１」との間の着火強度が定義される。設定可能関数３０は任意の直線（line）、曲線（curve）、及び／またはその組合せによって定義される。さらに、設定可能関数３０は、傾斜線形２元方程式、非線形二項方程式、対数関数等といった、任意の方法で表される。
【００４１】
いくつかの形態では、設定可能関数３０及び／または上方及び／または下方関数閾値４８はネットワーク管理者等によって動的に設定可能である。従って、いくつかの形態では、呼出しの間にネットワーク・デバイス１４から通信される相互ＲＡＴ測定制御メッセージ３２は設定可能関数３０の一以上の集合、一以上のハンドオーバー測定値に関する上方及び下方関数閾値４８を含む。設定可能関数及び／または上方及び／または下方関数閾値４８の動的設定はネットワーク管理者に全体のハンドオーバー過程を管理し、そしてハンドオーバー決定実践過程において一以上のハンドオーバー測定に対する優先権を提供する能力を提供する。
【００４２】
相互ＲＡＴハンドオーバー・モジュールは一以上の定義された着火強度に加重値７６を適用するための働きをする加重論理７４を随意に含む。定義された着火強度への加重値の適用はハンドオーバーが始動されるべきかどうかを決定する際に、他のハンドオーバー測定値と比較して、一以上のハンドオーバー測定値に置かれる大きいか小さいかの重点を提供する。例えば、形態を制限しないものでは、ＵＭＴＳ測定値が「１」の加重値を割当てられ、そしてＧＳＭ測定値が「４」の加重値を割当てられるならば、ＧＳＭ測定値は全体のハンドオーバー決定過程において４倍さらに重要であると云われる。各測定値に適用される加重の値が制限されず、そして任意の加重手法が利用されることは注目すべきである。従って、加重値を実施することによって、ネットワーク管理者は全体のハンドオーバー過程を管理することができる。
【００４３】
関数閾値４８と同様に、加重値はネットワーク管理者等によって動的に設定される。従って、いくつかの形態では、呼出しの間にネットワーク・デバイス１４から通信される相互ＲＡＴ ＭＣＭ ３２は一以上の着火強度にそれぞれ適用される一以上の加重値７６を随意に含む。加重値の動的な設定は現在のネットワーク負荷または他のネットワーク要素を考慮して、ネットワーク管理者に全体のハンドオーバー過程を管理し、そして旨くネットワーク無線資源を割付ける能力を提供する。関数閾値４８及び任意の加重値７６を含むＭＣＭに加えて、ＭＣＭはＵＭＴＳからＧＳＭへの ハンドオーバー決定実践過程に関係する他の設定データ７８を随意に含む。
【００４４】
相互ＲＡＴハンドオーバー・モジュール２４は所定の複合関数３７をハンドオーバー値３５において生成するＵＭＴＳ着火強度８０及びＧＳＭ着火強度８２の各々に適用するための働きをするハンドオーバー値論理 ３４を含む。いくつかの形態では、所定の結合関数３７は合計ハンドオーバー値となるＵＭＴＳ着火強度８０及びＧＳＭ着火強度８２の各々を合計することを含むであろう。着火強度が加重される形態では、数学的計算がハンドオーバー値をもたらす各ＵＭＴＳ及びＧＳＭ着火強度に適用されるであろう。しかしながら、所定の複合関数３７は全体のハンドオーバー値を生成するために一以上のハンドオーバー測定値の相対的な評価を提供するあらゆる手法を含むことに注目すべきである。さらに、それぞれの設定可能関数３０、加重値７６、及び所定の複合関数３７のどれかまたは任意の組合せはハンドオーバー値３５がハンドオーバー閾値８４との比較について所定の範囲内になるように正規化要素を含むことに注目すべきである。
【００４５】
その上に、相互ＲＡＴ ハンドオーバー・モジュール２４はハンドオーバーが始動されるべきでかどうかを決定するためにハンドオーバー値を閾値と比較するために動作可能なハンドオーバー閾値比較論理３６を含む。その閾値は閾値の値８４及び閾値条件８６を含む。閾値の値は数値、例えば、ハンドオーバーが始動されるべきかどうかと関連する限界を定義する値である。例えば、閾値の値が０．５と定義されると、０．５のハンドオーバー値はハンドオーバーを始動せず、そして０．５に等しいか、０．５以上のハンドオーバー値はハンドオーバーを始動する。閾値条件は「・・・より小さい」、「・・・より大きい」、「・・・に等しい」、「・・・より小さく、及びに等しい」、「・・・より大きく、及び等しい」、等々である。閾値の値及び条件は相互ＲＡＴモジュール２４においてハード的符号化されるか、または例えばＭＣＭを介して、 ネットワーク管理者レベルで発生する設定によって定義される。明確にするために、用語として、閾値を「満たす」（"meets" a threshold）は測定された値が所与の閾値条件によって所定の値を超える、等しい、或いは足りない場合を定義するために使用される。
【００４６】
一旦、閾値が満たされたことを閾値比較論理３６が決定すると、閾値が始動すべき時間（Time to Trigger：ＴＴＴ）期間８３に連続して満たされたか否かについて任意決定が行われる。ＴＴＴ期間８３の使用はＵＭＴＳ信号強度及び／または信号対干渉比における短い下降スパイクに基づくハンドオーバーを始動するのを回避する。ＴＴＴ ８３は通信デバイスが始動する事象をネットワーク・デバイス１４に通報するのにハンドオーバーを始動するための条件が満たされなければならない時間である。例えば、ＴＴＴがゼロに設定されるならば、満たされる閾値の最初の発生がハンドオーバーを始動し、そして通信がネットワーク・デバイス１４へ送られるであろう。しかしながら、ＴＴＴが３秒に設定されるならば、ハンドオーバーが始動され、且つ通信がネットワーク・デバイス１４へ送られるのにハンドオーバー閾値は３秒間満たされなければならない。
【００４７】
相互ＲＡＴ ハンドオーバー・モジュールはまた閾値が満たされていたこと、従って、ハンドオーバーが始動されるべきことを閾値比較論理３６が決定するならば始動メッセージ９１を生成するためのハンドオーバー・メッセージ発生器９０を含む。生成された始動メッセージ９１はネットワーク・デバイス１４へ送られ、それは続いてＧＳＭ設定過程を始めるためにＧＳＭ １８に連絡する。無線資源プロトコル仕様２５．３３１の中で定義されたように、いくつかの形態では、始動メッセージ９１は「事象３ａ」通知を含み、それは仕様に定義されたように、ＵＭＴＳ １６からＧＳＭ １８への呼出しのハンドオーバーを要求する通信デバイスにおいて条件が満たされたことをネットワーク・デバイスに通知する。
【００４８】
図４を再び参照すると、前に述べたように、コンピューター・プラットホーム６０はさらにハードウェア、ファームウェア、ソフトウェア、及びその組合せにおいて具現化された通信モジュール９２を含み、それは通信デバイス１２の様々な構成要素の間における、同様に通信デバイス１２と有線または無線ネットワークとの間における通信を可能にする。通信モジュールは無線または有線ネットワーク接続を構築するために必要なハードウェア、ファームウェア、ソフトウェア及び／またはその組合せを含む。通信モジュール６０は「事象３ａ」通知といった、ハンドオーバー始動通信をネットワーク・デバイス１４へ通信するための働きをする。
【００４９】
その上、通信デバイス１２は通信デバイスへの入力を生成するための入力メカニズム９２、及び通信デバイスのユーザーによる消費についての情報を生成するための出力メカニズム９４を有する。例えば、入力メカニズム９２はキーまたはキーボード、マウス、タッチスクリーン・ディスプレイ、マイクロホン、等々といったメカニズムを含む。或る形態では、入力メカニズム９２は通信デバイス上でアプリケーションを起動させるユーザー入力を提供する。さらに、例えば、出力メカニズム９４はディスプレイ、オーディオ・スピーカー、触覚フィードバック・メカニズム等を含む。
【００５０】
図６を参照すると、別の形態により、無線ネットワーク制御器といったネットワーク・デバイス１４のブロック図が例示される。ネットワーク・デバイスはハードウェア、サーバー、パーソナルコンピューター、ミニコンピューター、メインフレーム・コンピューター、または特定の目的または一般的な計算デバイスのいずれかの計算デバイスの任意の型式の少なくとも一つを含む。さらに、ネットワーク・デバイス１４によって操作され、または実行されるここに述べたモジュール及びアプリケーションはネットワーク・デバイス１４上で完全に実行され、或いは代わりに、他の形態では、個別のサーバーまたはコンピューター・デバイスが当事者（parties）に使用可能なフォーマットでデータを提供するために、且つ／または通信デバイス１２と、ネットワーク・デバイス１４によって実行されるモジュール及びアプリケーションとの間のデータ・フローにおいて個別の制御層を提供するために一致して機能する。
【００５１】
ネットワーク・デバイス１４は有線または無線ネットワークを通してデータを伝送し、且つ受信することができ、そしてルーチン及びアプリケーションを実行することができるコンピューター・プラットホーム１００を有する。コンピューター・プラットホーム１００はデータ記憶４２を含み、それは読取り専用及び／またはランダム・アクセス・メモリー（ＲＡＭ及びＲＯＭ）、ＥＰＲＯＭ、ＥＥＰＲＯＭ、フラッシュ・カード、またはコンピューター・プラットホームに共通の任意のメモリーからなる。さらに、データ記憶４２は一以上のフラッシュ・メモリー・セルを含むか、または磁気媒体、光学媒体、テープ、またはソフトまたはハード・ディスクといった任意の第二または第三記憶デバイスである。さらに、コンピューター・プラットホーム１００は処理エンジン４０を含み、それはアプリケーション特定集積回路（ＡＳＩＣ）、または他のチップセット、プロセッサー、論理回路、または他のデータ処理デバイスである。コンピューター・プラットホーム１００はさらにハードウェア、ファームウェア、ソフトウェア、及びその組合せにおいて具現化された通信モジュール１０２を含み、それはネットワーク・デバイス１４の様々な構成要素の間、同様にネットワーク・デバイス１４と無線または有線ネットワークとの間の通信を可能にする。例えば、記述した形態では、通信モジュールはＭＣＭ ３２及び物理チャネル再構成（Physical Channel Reconfiguration：ＰＣＲＣ）メッセージ１０４（図７）を通信し、そしてハンドオーバー要求をＧＳＭへ通信するように構成される。その上、通信モジュール１０２はサービス低下警告（「事象２ｄ２ｄ」）、ハンドオーバー始動警告９１（それは事象３ａを含む）等といった事象通知を受取るように構成される。同じく、通信モジュールはハンドオーバー要求の通信に基づいて設定データをＧＳＭ １８から受信するように構成されるであろう。通信モジュールは無線または有線通信接続を構築するための必要なハードウェア、ファームウェア、ソフトウェア及び／またはその組合せ含む。
【００５２】
ネットワーク・デバイスのデータ記憶４２は通信デバイス１２上で動作可能なハンドオーバー・モジュール２４を設定し、そしてＵＭＴＳ １６とＧＳＭ １８との間でハンドオーバーを開始する働きをする相互ＲＡＴハンドオーバー設定モジュール４４を含む。図７を参照すると、相互ＲＡＴハンドオーバー設定モジュール４４の詳細なブロック図が提供されている。相互ＲＡＴハンドオーバー設定モジュール４４はネットワーク管理者またはＲＮＣ操作者に設定可能関数３０、それぞれの設定可能関数に関する上方及び／または下方関数閾値４８、所定の複合関数３７、及びハンドオーバー閾値３９の一つまたは任意の組合せを定義し、且つ／または選択する能力を提供する働きをする関数／閾値選択器４６を含む。その上、ハンドオーバー決定過程において加重値を利用するそれらの形態では、設定モジュール４４はネットワーク管理者またはＲＮＣ操作者に一以上の加重値７６（それはハンドオーバー決定過程の期間に着火強度に適用される）を提供する加重値選択器１０６を含む。
【００５３】
設定モジュール４４はまたＵＭＴＳサービス低下通知に応答して「事象２ｄ」として無線資源プロトコル仕様１５．３３１において定義されたＰＣＲＣメッセージ１０４を生成するための働きをするＰＣＲＣメッセージ発生器１０８を含む。ＰＣＲＣメッセージは圧縮モード設定データを含み、そして、随意に、圧縮モードを起動させるように促す。
【００５４】
設定モジュール４４は定義または選択された設定可能関数３０、上方及び／または下方関数閾値４８、所定の複合関数３７、及びハンドオーバー閾値３９の一つまたは任意の組合せを含む ＭＣＭ３２を生成するための働きをする相互ＲＡＴ測定制御メッセージ（ＭＣＭ）発生器５０を含む。随意に、ＭＣＭ発生器５０はＧＳＭハンドオーバー測定値の測定を開始するために圧縮モードを起動するように通信デバイスを促す。関数閾値４８に加えて、ＭＣＭ ３２は選択された任意の加重値７６及び／または任意の追加ハンドオーバー・モジュール設定データ７８を含む。以前に論じたように、呼出し進行中の間に通信デバイス１２に通信されるＭＣＭ ３２は関数閾値、加重値等といったハンドオーバー・モジュール・パラメータの動的設定を行う。
【００５５】
設定モジュール４４は通信デバイスから、「事象３ａ」といった始動メッセージ９１を受信すると、ＧＳＭ １８に送られる再配置メッセージ１１２を生成するための働きをする再配置メッセージ発生器１１０を含む。再配置メッセージ１１２の通信に応答して、ＧＳＭ １８はネットワーク・デバイス１４にチャネル詳細等といったＧＳＭ設定データを送り、そしてハンドオーバー命令がハンドオーバーを実行し、そしてＧＳＭ上で通信を確立するように通信デバイスへ続いて通信される。
【００５６】
図８は一つの形態による、ソフト決定に基づくハンドオーバー始動のための方法のブロック図例の例示を提供する。矢印２００、２０２及び２０４はそれぞれの着火強度２０１、２０３及び２０５を定義するために設定可能ソフト決定に基づく関数へのハンドオーバー測定値の入力を意味する。特に、矢印２００はＵＭＴＳ信号強度測定値ＲＳＣＰの入力を意味する；矢印２０２はＵＭＴＳ干渉対信号比Ｅｃ／Ｎｏの入力を意味する；そして矢印２０４はＧＳＭ号強度測定値ＲＳＳＩの入力を意味する。前に述べたように、ハンドオーバー測定値は通信デバイスにおける無線状態を監視するか、もしくはネットワーク・デバイスから外部通信を受信することによって取得される。
【００５７】
ブロック２０６、２０８及び２１０はＲＳＣＰ、Ｅｃ／Ｎｏ及びＲＳＳＩに関する着火強度決定事象を意味する。着火強度は設定可能関数２２４、２２６及び２２８をそれぞれの入力測定値、即ち、ＲＳＣＰ測定値、Ｅｃ／Ｎｏ測定値及びＲＳＳＩ測定値に適用することによって定義される。各設定可能関数は下方関数閾値２１２、２１４及び２１６及び／またはそれぞれの上方関数閾値２１８、２２０及び２２２を含む。前に述べたように、それぞれの関数閾値はＲＮＣにおいて、例えば呼出し進行中の間に、ネットワーク管理者がハンドオーバー過程を管理し、ネットワーク負荷の平衡を保ち、そして無線ネットワーク資源を最大にすることを可能にするように動的に設定される。
【００５８】
図４に例示のブロック図では、設定可能関数２２４、２２６及び２２８は一次方程式の関数として示されている。しかしながら、設定可能関数は傾斜線形関数または非線型関数の一つまたは任意の組合せを特徴的に含む。その上、任意のハンドオーバー測定値に適用される設定可能関数は別の測定値に適用される関数とは異なるか、またはその関数は同等である。設定可能関数２２４、２２６及び２２８は下方関数閾値２１２、２１４及び２１６と上方関数閾値２１８、２２０及２２２との間の着火強度値を提供することが可能であるとして操作可能に定義される。このように、例示の形態では、下方閾値が「０」の着火強度値に対応し、そして上方閾値が「１」の着火強度値に対応し、その測定値が下方閾値と上方閾値との間に収まるならば、着火強度は「０」と「１」の間の値として定義される。
【００５９】
ブロック２３０において、その結果生じる着火強度値２０１、２０３及び２０５はハンドオーバー値を決定するために使用される。任意に、加重値２３２、２３４及び２３６が各ハンドオーバー測定値についてそれぞれの加重着火強度値２０７、２０９及び２１１を生成するために各着火強度値２０１、２０３及び２０５に適用される。特に、ＲＳＣＰ加重値２３２、Ｅｃ／Ｎｏ加重値２３４及びＲＳＳＩ加重値２３６は決定実践過程においてハンドオーバー測定値に優先順位をつける手段として適用される。前に述べたように、加重値は呼出し進行中の間に、ネットワーク管理者がハンドオーバー過程を管理し、ネットワーク負荷の平衡を保ち、そして無線ネットワーク資源を最大にすることを可能にするように動的に設定される。個別の加重値が実施されないそれらの形態では、各ハンドオーバー測定値に関するそれぞれの設定可能関数はハンドオーバー測定値の必要優先順位を考慮する。云い換えれば、その加重値は一以上のそれぞれの設定可能関数に組込まれる。ブロック２３０において、非加重着火強度値２０１、２０３及び２０５か、それとも加重着火強度値２０７、２０９及び２１１はハンドオーバー値３５を生成するために所定の複合関数３７に適用される。例示の形態では、加重着火強度値はハンドオーバー値を提供するために合計される。しかしながら、所定の複合関数３７はハンドオーバー値を提供するために必要な他の数学計算を含む。
【００６０】
ブロック２４０において、ハンドオーバー値３５は呼出しがハンドオーバーされなければならない状況に現存ＲＡＴ信号品質及びハンドオーバーＲＡＴ信号品質の組合せがなっているかどうかを決定するためにハンドオーバー閾値３９と比較される。例示された形態では、ハンドオーバー閾値３９は「０．５」として定義される。従って、この場合には、「０．５」以上の任意のハンドオーバー値３５はハンドオーバーが適切であることを示す「１」のハンドオーバー始動値９３を生成し、一方、「０．５」以下の任意のハンドオーバー値３５はハンドオーバーが適切でないことを示す「０」のハンドオーバー始動値９３を生成するであろう。相互ＲＡＴハンドオーバー・モジュールの設定はハンドオーバーが適切であることを示す０．５に等しいハンドオーバー値を提供するか、或いは設定はハンドオーバーが適切でないことを示す０．５に等しいハンドオーバー値を提供する。判定ブロック２４２において、ハンドオーバー始動値９３がハンドオーバーを始動するであろう設定可能始動値９５、即ち、この場合には「１」の値に等しいかどうかについて、そして適切なハンドオーバー始動値９３が移送すべき時間（Time To Transfer：ＴＴＴ）８３窓内に発生していたならば、判定が行われる。この形態では、定義されたＴＴＴについてハンドオーバー始動値が発生するならば、ハンドオーバーだけが発生する。このように、ＴＴＴが１０秒と定義されるならば、通信デバイスがハンドオーバーを開始するようにＲＮＣを促すであろう前にハンドオーバー始動値は１０秒間発生しなければならない 。従って、ＴＴＴがゼロに設定されるならば、一つのハンドオーバー始動値の発生は通信デバイスがハンドオーバーを開始するようにＲＮＣに促すであろう。図４によって定義された信号品質決定過程は連続して、または所定の間隔で発生し、そしてＴＴＴ内の信号品質測定の各事例（instance）は相互ＲＡＴ ハンドオーバーを始動するために設定可能始動値９５を満たすハンドオーバー始動値９３をもたらす。さらに、ハンドオーバー閾値 ３９、設定可能始動値９５及びＴＴＴ ８３の一つまたは任意の組合せはネットワーク管理者がハンドオーバー過程を管理し、ネットワーク負荷の平衡を保ち、そして無線ネットワーク資源の最大化を行うことを可能にするように動的に設定される。設定可能ハンドオーバー始動値が設定ＴＴＴ期間に発生しなかったならば、ハンドオーバー・モジュールは信号品質を監視し、且つ測定し続け、そして新しいハンドオーバー始動を計算するであろう。設定可能ハンドオーバー始動値が所定のＴＴＴ期間に発生していたならば、ブロック２４４において、通信デバイスは「事象３ａ」のようなハンドオーバー始動メッセージ９１を送るであろう。
【００６１】
図９は一形態に従って、ソフト決定に基づくハンドオーバー始動のための通信デバイスを設定するための方法のメッセージ・フロー例示を提供する。事象３００において、通信デバイス１２はＵＭＴＳサービスを使用して呼出し進行中にあり、そして音声データ、ビデオ・データ、または他のダウンロード可能なデータはデバイス１２及びＵＭＴＳ ＲＮＣ １４へ、或いはそこから通信される。進行中の呼出しが続いて起きている間、通信デバイス（それはＵＭＴＳサービス品質特性を監視する）はそのデバイスが現在 ＵＭＴＳサービス品質の低下を経験していること指示する。例えば、信号強度は受容可能限界以下に減少していたり、且つ／または信号対干渉比は受容可能限界以上に発生していたりする。事象３０２において、無線デバイス１２はそのデバイスが脆弱もしくは劣化ＵＭＴＳサービス状態にあることを示すメッセージをＲＮＣ １４へ送信する。いくつかの形態では、無線資源プロトコル仕様２５．３３１に従って、脆弱もしくは劣化ＵＭＴＳサービスを示す「事象ｅ２ｄ」メッセージが送信される。
【００６２】
脆弱もしくは劣化ＵＭＴＳサービスの通知に応答して、ＲＮＣ １４は物理チャネル再構成（ＰＣＲＣ）メッセージを生成し、そして事象３０４において、それを通信デバイス１２へ通信する。ＰＣＲＣメッセージは外部ＧＳＭサービス特性の監視のために通信デバイスにおいて圧縮モードを設定する。圧縮モードの設定はギャップの持続期間（duration）、ギャップの頻度（frequency）、ギャップの間隔（separation）等といった圧縮モード・ギャップを設定することを含む。その上、ＰＣＲＣメッセージは圧縮モードを起動するためのプロンプトを含む（起動はまた続いて通信される測定制御メッセージ（ＭＣＭ）中でも促される）。事象３０６において、一旦、通信デバイス１２が圧縮モードを設定したとすると、メッセージは圧縮モード設定を確認するＲＮＣ １４へ送られる。
【００６３】
事象３０８において、ＲＮＣ １４はＭＣＭを生成し、そして無線デバイスに通信する。前に送られたＰＣＲＣメッセージが圧縮モードの起動を促さなかったならば、ＭＣＭは圧縮モードを起動する。その上、ＭＣＭメッセージは所与のハンドオーバー測定値の関数／閾値、着火強度に割当てられた加重値、等々といったハンドオーバー・モジュール・パラメータの動的設定を行う。ハンドオーバー・モジュール・パラメータの動的設定によってネットワーク管理者はハンドオーバー始動過程を管理し、そしてネットワーク無線資源のより良い全体の利用を行うことが可能となる。
【００６４】
事象３１０において、通信デバイス１２において動作可能なハンドオーバー・モジュールはＵＭＴＳからＧＳＭへのハンドオーバーが始動されるべきであることを決定した。従って、通信デバイスはハンドオーバー始動メッセージをＲＮＣ １４へ送る。いくつかの形態では、無線資源プロトコル仕様２５．３３１に従って、 ハンドオーバーの始動を示す「事象３ａ 」を含む測定報告メッセージ（Measurement Report Message：ＭＲＭ）が送られる。ハンドオーバー始動メッセージに応答して、ＲＮＣ １４は再配置要求メッセージを生成し、そして事象３１２において、 ＵＭＴＳ １６のコア・ネットワーク４０６（図６）に位置するモバイル交換 センター（Mobile Switching Center ：ＭＳＣ）４１６（図６）にそれを通信するであろう（４００シリーズ指定局の識別及び記述については図６参照）。
【００６５】
再配置要求メッセージに応答して、事象３１４において、ＭＳＣはチャネル詳細等といった ＧＳＭ設定データを含む再配置命令をＲＮＣ １６へ送るであろう。詳細な形態では、ＭＳＣはＵＭＴＳ及びＧＳＭの両方によって共有され、しかしながら、代わりの形態では、ＵＭＴＳ及びＧＳＭは個別のＭＳＣを持つ。事象３１６において、再配置命令メッセージを受取ると、ＲＮＣはＧＳＭ設定データを含むハンドオーバー命令を無線デバイスへ送り、そしてＧＳＭネットワークへの次のハンドオーバーが発生する。
【００６６】
図１０はアクセス・ネットワーク４０２及びコア・ネットワーク４０６（それはＵＭＴＳとＧＳＭとの間で共有される）を含む 汎用モバイル電気通信システム（ＵＭＴＳ）ネットワーク４００の概要図を例示する。ネットワーク４００はユーザー加入者識別モジュール（User Subscriber Identity Module：ＵＳＩＭ）４０２（それはデバイス・ユーザーの登録情報を含む）を含む無線通信デバイス１２のような多数の通信デバイスを含む。ネットワーク４００はアクセス・ネットワーク４０４を含み、それはネットワークにアクセスするために必要な全ての無線装置を含む。例示の実施例では、 アクセス・ネットワークは汎用地上無線アクセス・ネットワーク（Universal Terrestrial Radio Access Network：ＵＴＲＡＮ）であるが、ＧＳＭ-ＥＤＧＥ無線アクセス・ネットワーク（ＧＥＲＡＮ）のような他のアクセス・ネットワークもまた使用される。ネットワークはまた回線交換呼出し（circuit-switched calls）のための公衆交換電話ネットワーク（Public Switched Telephone Network：ＰＳＴＮ）４０８、またはインターネット４１０のようなパケット交換呼出し（packet-switched calls）のためのパケット・データ・ネットワークのいずれかに接続するための全ての交換及び経路指定能力を含むコア・ネットワーク４０６を含む。コア・ネットワークはモバイル及び加入者位置管理、同様に、認証サービスに対する交換及び経路指定能力を含む。示したように、コア・ネットワークはＵＭＴＳとＧＳＭとの間で共有される；しかしながら、前に述べたように、代わりの形態では、ＵＭＴＳ及びＧＳＭは個別のコア・ネットワークを持つ。
【００６７】
アクセス・ネットワーク４０４は一つ以上のセルにおいて通信デバイス１２へ／からの無線伝送／受信を受持つ複数のノードＢ ４１２位置を含む。各ノードＢ ４１２は一般的に３個のセルを含み、最高６個のセルを含む。例示したように、通信デバイス１２は常に多数のノードＢ ４１２と無線通信しており、それはソフト・ハンドオーバーの概念を例示し、そこでは通信デバイスは一つの基地局から次の基地局へハンドオーバーするとき周波数チャネルは同じままでその疑似雑音（Pseudo Noise：ＰＮ）拡散符号を変更する。アクセス・ネットワーク４０２内で、多数のノードＢ ４１０は無線ネットワーク制御器（ＲＮＣ）４１４と通信しており、それは無線資源の使用の制御を受持つ。
【００６８】
ＵＭＴＳ４００のためのコア・ネットワーク４０６は回路交換（ＣＳ）およびパケット交換（ＰＳ）動作の両方を支援する。モバイル交換センター（ＭＳＣ）／ビジター位置レジスター（ＶＬＲ）４１６及びゲートウェイ・モバイル交換センター（ＧＭＳＣ）４１８は回線交換（ＣＳ）ドメイン４２０を形成し、それは有線電話交換ネットワークＰＳＴＮ／ＩＳＤＮ ４０８と通信する。サービス用一般パケット無線サービス対応ノード（Serving General Packet Radio Service Support Node：ＳＧＳＮ）４２２及びゲートウェイ一般パケット無線サービス対応ノード（Gateway General Packet Radio Service Support Node：ＧＧＳＮ）４２４はパケット交換ドメイン４２６を形成し、それはインターネット４１０と通信する。両方のドメイン４２０及び４２６は共通のホーム位置レジスター／認証センター（Home Location Register/Authentication Center：ＨＬＲ／ＡｕＣ）４２８を共有する。ＨＬＲ／ＡｕＣ ４２８はユーザーの同一性を証明するのと同様に、ユーザー予約及び識別情報を記憶するためのデータベースを提供する。
【００６９】
ＣＳドメイン４２０では、ＭＳＣ ４１６は通信デバイスの現在の位置に基づいてその通信デバイスにサービスを行う回路スイッチであり、そしてＶＬＲ ４１６はＭＳＣにおいてユーザー情報を捕まえるデータベースを提供する。ＧＭＳＣ ４１８はユーザーの在駐もしくは「ホーム」位置で回線交換を行う。ＰＳドメイン４２６では、ＳＧＳＮ ４２２はパケット交換呼出しのためのルータを提供し、そしてＧＧＳＮ ４２４はユーザーの在駐もしくは「ホーム」位置で経路指定（routing）を行う。
【００７０】
図１１は本形態による、ソフト決定に基づくハンドオーバー始動の方法のフローチャートを提供する。事象５００において、モバイル端末のような通信デバイスは現在の通信ネットワーク及び呼出しがハンドオーバーされる他の通信ネットワークについてハンドオーバー測定値を取得する。前に述べたように、ハンドオーバー測定値は通信デバイスにおける現在のネットワーク無線状態を監視することによって取得されるか、或いはその測定値は外部ネットワーク・デバイスから受取られる。ハンドオーバー測定値はＵＭＴＳシステムＲＳＣＰ、ＵＭＴＳシステムＥｃ／Ｎｏ、ＧＳＭシステムＲＳＳＩを含むが、それに限定されない。
【００７１】
事象５１０において、それぞれの設定可能関数は各ハンドオーバー測定値についてそれぞれの着火強度を生成させるためにそれぞれの各ハンドオーバー測定値に適用される。例えば、いくつかの形態において、設定可能関数は少なくとも一つの第一の着火強度値と第二の着火強度値との間の着火強度値を決定する働きをする。これらの形態では、第一及び第二の着火強度値はそれぞれの設定可能関数について最小及び最大の関数閾値に対応するであろう。設定可能関数は任意の傾斜の一次関数または任意の非線型関数、またはそのいくつかの組合せである。
【００７２】
任意の事象５２０において、着火強度値は加重値に適用される。加重値は一以上のハンドオーバー測定値に対する相対的なハンドオーバー決定優先権を提供し、或いはハンドオーバー始動の発生の可能性を増減するために着火強度値に適用される。いくつかの形態では、例えば、加重値の適用は着火強度を加重値要素で乗算することを含む。加重値が実施されない形態では、設定可能関数はハンドオーバー測定値の加重を行うように設定される。
【００７３】
事象５３０において、ハンドオーバー値が計算され、それは非加重または加重着火強度を使用することを含む。いくつかの形態では、計算は所定の複合関数を着火強度に適用することを含むであろう。例えば、一つの非制限の場合では、所定の複合関数は合計ハンドオーバー値になるように加重着火強度を合計することを含む。代りに、実施される計算は単一のハンドオーバー値をもたらすどれか他の適当な数学計算である。
【００７４】
判定５４０において、ハンドオーバー値がハンドオーバー閾値を満たすかどうかについて判定が行われる。前に述べたように、ハンドオーバー閾値はハンドオーバー値及びハンドオーバー条件を含むであろう。いくつかの形態では、ハンドオーバー値は０と１ の間の範囲の数値であろう。ハンドオーバー条件は「・・・より小さい」、「・・・より大きい」、「・・・に等しい」、「・・・より小さい、及び等しい」、「・・・より大きい、及び等しい」、等々を含む。前に述べたように、用語として、閾値を「満たす（meets）」は測定値が所定の閾値の値を超える、等しい、または達しない場合を定義するためにここでは使用される。ハンドオーバー測定値がハンドオーバー閾値を満たさないならば、その方法は事象５００に戻り、そこではさらなるハンドオーバー測定値が着火強度を続いて定義し、そして別のハンドオーバー値を計算するために取得される。
【００７５】
判定５５０において、ハンドオーバー値がその時を満たすことを決定されるならば、ハンドオーバー閾値所定の移送すべき時間（Time To Transfer ：ＴＴＴ）の間に満たされたか否かについて判定が行われる。前に述べたように、ＴＴＴはハンドオーバー閾値が発生するのに満たされなければならない時間期間を定義する。例えば、ＴＴＴが１０秒に設定されれば、ハンドオーバー閾値はハンドオーバー始動がネットワークに通信されるために１０秒間満たされなければならない。ゼロのＴＴＴは一回の満たされるハンドオーバー閾値の発生がハンドオーバー始動通知の送信を促すことを意味する。ＴＴＴが満たされないならば、その方法はその閾値がＴＴＴについてに満たされるかどうかを判定するためにハンドオーバー閾値と比較して計算されたハンドオーバー値を監視し続けるであろう。
【００７６】
事象５６０において、ハンドオーバー閾値が所定のＴＴＴの間満たされたという決定が行われるならば、呼出しをＵＭＴＳからＧＳＭへのように、一つのＲＡＴから他のＲＡＴへ移送するハンドオーバー過程を開始するために、ハンドオーバー始動メッセージはＲＮＣのようなネットワーク・デバイスに通信される。
【００７７】
図１２はネットワーク・デバイスにおいてハンドオーバー始動を設定するための方法のフローチャートである。事象６００において、無線ネットワーク制御器（ＲＮＣ）といった、ネットワーク・デバイスは現在の呼出し進行中のＵＭＴＳサービスがＧＳＭへのハンドオーバーを保証するレベルに低下していたことを示す通信デバイスからのＵＭＴＳサービス低下メッセージを受取る。 無線資源プロトコル仕様２５．３３１に従って、サービス低下は「事象２ｄ」、「事象１ｆ」、「事象６ｂ」といった事象メッセージ、またはＵＭＴＳサービス品質の低下を通報する他の事象メッセージの形で通報される。ＵＭＴＳサービス低下は信号強度の減少、干渉対信号比の増加またはどれか他の監視ＵＭＴＳ測定値における他の低下の一つまたはどれかの組合せによって特徴付けられる。
【００７８】
事象６１０において、ネットワーク・デバイスは圧縮モード設定メッセージを生成し、そしてそのメッセージを通信デバイスに通信する。圧縮モード設定メッセージは無線資源プロトコル仕様２５．３３１では物理チャネル再構成（ＰＣＲＣ）メッセージとして参照される。圧縮モード設定データは圧縮ギャップと関連する周波数（frequency）、持続時間（duration）及び期間（period）を含む。その上、圧縮モード設定メッセージは通信デバイスにおいて圧縮モードの起動を行う。圧縮モードは通信デバイスがＵＭＴＳから同調ずれを行い、そしてＧＳＭネットワークの特性を測定するのを可能にするために実施される。通信デバイスが全二重デュアル・モード受信機等を含む別の形態では、そのデバイスはＵＭＴＳ及びＧＳＮ側で同時に伝送／受信が可能である。従って、通信デバイスが全二重デュアル・モード受信機等を含む形態では、ＧＳＭを測定するために圧縮モードに入る必要性は未保証である。
【００７９】
事象６２０において、一旦、ネットワーク・デバイスが圧縮モードの設定が完了されたという確認を通信デバイスから受取っていると、ネットワーク・デバイスはハンドオーバー始動設定メッセージを生成し、そして通信する。ハンドオーバー始動設定メッセージは無線資源プロトコル仕様２５．３３１では測定制御メッセージ（Measurement Control Message：ＭＣＭ）として参照される。ハンドオーバー始動設定メッセージは通信デバイスで実行されるハンドオーバー・モジュール中の設定に適した関数、閾値、加重値、時間対始動値または他のデータの一つまたは任意の組合せを含む。ハンドオーバー設定メッセージは通信呼出し進行中にハンドオーバー・モジュールの動的設定を行う。ハンドオーバー・モジュールの動的設定を行うことによって、ネットワーク管理者はハンドオーバー過程を管理し、そしてネットワーク無線資源の最適な利用を行うことができる。受信ハンドオーバー始動設定メッセージに基づいて、上で述べたソフト決定に基づく構成要素を含めて、通信デバイスはハンドオーバーを始動するかどうかを決定することができる。
【００８０】
事象６３０において、ソフト決定実践に基づいて、ネットワーク・デバイスはＧＳＭサービスへのハンドオーバーが保証されることをそのデバイスが決定したことを示すハンドオーバー始動メッセージを通信デバイスから受取る。ハンドオーバー始動メッセージは無線資源プロトコル仕様２５．３３１では事象３ａとして参照される。ハンドオーバー始動メッセージに応答して、事象６４０において、ＲＮＣは再配置要求をモバイル交換センター（ＭＳＣ）へ通信する。事象６５０において、再配置要求に応答して、ＲＮＣはＧＳＭチャネル詳細、等々といったＧＳＭ設定データをＭＳＣから受取る。
【００８１】
事象６６０において、一旦、ＲＮＣがＧＳＭ設定データを受取っていると、ＲＮＣはＧＳＭ設定データを含むハンドオーバー命令メッセージを生成し、通信デバイスにそれを通信する。ハンドオーバー命令を受取ると、通信デバイスはＧＳＭサービスに対してハンドオーバーを開始し、それによってＵＭＴＳネットワークからＧＳＭネットワークへ呼出しを移送する。
【００８２】
ここに開示した実施例と関連して述べた様々の例示の論理、論理ブロック、モジュール、及び回路はここに述べた機能を実行するために設計された一般用途プロセッサー、ディジタル信号プロセッサー（ＤＳＰ）、特定用途集積回路（ＡＳＩＣ）、フィールド・プログラマブル・ゲートアレイ（ＦＰＧＡ）または他のプログラマブル論理デバイス、個別ゲートまたはトランジスター論理、個別ハードウェア部品、またはその任意の組合せによって実施される。一般用途プロセッサーはマイクロプロセッサーであるが、代わりに、プロセッサーは従来のプロセッサー、コントローラー、マイクロコントローラー、または状態機械である。プロセッサーはまた計算デバイスとの組合せ、例えば、ＤＳＰとマイクロプロセッサーの組合せ、ＤＳＰと連携した一以上のマイクロプロセッサー、または他のそのような構成として実施される。
【００８３】
さらに、実施例と関連して述べた方法またはアルゴリズムのステップは直接ハードウェアにおいて、プロセッサーによって実行されるソフトウェア・モジュールにおいて、または二つの組合せにおいて具現化される。ソフトウェア・モジュールはＲＡＭメモリー、フラッシュ・メモリー、ＲＯＭメモリー、ＥＰＲＯＭメモリー、ＥＥＰＲＯＭメモリー、レジスター、ハード・ディスク、リムーバブル・ディスク、ＣＤ-ＲＯＭ、または当技術分野で既知の他の形の記憶媒体に在駐する。典型的な記憶媒体は情報を記憶媒体から読取り、そして記憶媒体へ書込むことができるようにプロセッサーと連結される。代りに、記憶媒体はプロセッサーに集積化される。プロセッサー及び記憶媒体はＡＳＩＣに在駐する。ＡＳＩＣはユーザー端末に在駐する。代りに、プロセッサー及び記憶媒体はユーザー端末中に個別の部品として在駐する。代りに、ソフトウェア・モジュールはその上に命令を記憶するコンピューター可読媒体からなり、そこではコンピューター可読媒体上の一以上の命令の集合はここに記載したどれかの方法またはアルゴリズムの各ステップ及び動作を定義する。
【００８４】
前述の開示は例示の形態及び／または実施例を示すと同時に、様々な変更及び修正が付随の請求項によって定義されたように記載の形態及び／または実施例の範囲を逸脱することなくここに行われることに注目すべきである。さらに、記載の実施例の要素は単数で記述され、または要求されているが、単数への制限が明白に記載されない限り複数も考慮される。その上、いずれの形態及び／または実施例の全てまたは一部は別に記載されない限り他の形態及び／または実施例と共に利用される。
【００８５】
このように、記載の形態はソフト決定に基づくハンドオーバー始動を提供する。設定可能関数を実施することによって、ソフト決定実践はハンドオーバー測定値限界が所定の許容範囲に収まり、そして全体のハンドオーバー測定値がハンドオーバーに関する最終決定を行う際に使用されるのを可能にする。このように、現在記載の形態はより柔軟なハンドオーバー決定実践及びネットワーク無線資源のより良い利用を提供する。さらに、ハンドオーバー測定の加重を行うことによって、ネットワーク管理者は選択されたハンドオーバー測定値に多少の重点を置き、従って、ハンドオーバー過程をより良く管理する能力を提供される。
【００８６】
本発明の多くの修正及び他の形態はこの発明が前の記述及び関連する図において提示された教示の利益を受ける当業者には考えつかれることであろう。従って、本発明が開示した特定の形態に制限されるべきでないこと、及び修正及び他の形態が付属の請求項の範囲内に含まれる意図のあることは理解されることである。特定の用語がここに使用されているが、それらは一般的且つ記述的な意味で使用され、限定の目的ではない。
【図１】
2009544261.tif 000003
【図２】
2009544261.tif 000004
【図３】
2009544261.tif 000005
【図４】
2009544261.tif 000006
【図５】
2009544261.tif 000007
【図６】
2009544261.tif 000008
【図７】
2009544261.tif 000009
【図８】
2009544261.tif 000010
【図９】
2009544261.tif 000011
【図１０】
2009544261.tif 000012
【図１１】
2009544261.tif 000013
【図１２】
2009544261.tif 000014
【国際調査報告】
2009544261.tif 000015
2009544261.tif 000016
2009544261.tif 000017
2009544261.tif 000018
2009544261.tif 000019